(57)【要約】【課題】巻きバネを用いることなく、繰り返しの耐久性および各環境下での動作安定性を増す。【解決手段】蓋の止め部１２１を係止するための係止片１４１を、オープン側（Ｐ側）とは反対のＱ側に、バネ部１４５により、常に付勢する。バネ部１４５を、２つの樹脂成型バネ１５１，１５２により構成する。バネ１５１を、オープン釦１１５および係止片１４１と共に、繰り返し荷重に強いＰＯＭ樹脂により一体成型する。バネ１５２を、操作釦１１３および部材１５４と共に、ＰＯＭ樹脂より線膨張係数が小さく、比較的繰り返し荷重に強いＡＢＳ樹脂により一体成型する。バネ部１４５を１つの樹脂成型バネで構成する場合に比べて、各樹脂成型バネ１５１，１５２を、荷重設定を低くして、安定した荷重で動作させることができ、繰り返しの耐久性および各環境下での動作安定性が増す。【選択図】図３
2008146746.tif 000002
【特許請求の範囲】
【請求項１】
電子機器の本体に装着されている蓋を開閉するための開閉機構であって、
直線方向に移動可能に上記本体に取り付けられているオープン釦と、
上記オープン釦に連接され、上記直線方向に移動可能に上記本体に取り付けられている係止片と、
上記係止片を上記直線方向の一の方向に常に付勢するバネ部と、
上記蓋に設けられ、該蓋が閉じられた状態では、上記係止片に係止される止め部とを備え、
上記バネ部は、第１の樹脂成型バネおよび第２の樹脂成型バネにより構成される
ことを特徴とする電子機器の開閉機構。
【請求項２】
上記第１の樹脂成型バネは、上記オープン釦および上記係止片と一体的に成型されており、
上記第２の樹脂成型バネの線膨張係数は、上記第１の樹脂成型バネの線膨張係数より小さい
ことを特徴とする請求項１に記載の電子機器の開閉機構。
【請求項３】
上記第１の樹脂成型バネおよび上記第２の樹脂成型バネはＵ字形状に形成され、
上記第１の樹脂成型バネは開こうとする力により上記係止片を付勢し、上記第２の樹脂成型バネは閉じようとする力により上記係止片を付勢する
ことを特徴とする請求項１に記載の電子機器の開閉機構。
【請求項４】
本体と、上記本体に開閉可能に装着される蓋と、上記蓋を開閉するための開閉機構とを備え、
上記開閉機構は、
直線方向に移動可能に上記本体に取り付けられているオープン釦と、
上記オープン釦に連接され、上記直線方向に移動可能に上記本体に取り付けられている係止片と、
上記係止片を上記直線方向の一の方向に常に付勢するバネ部と、
上記蓋に設けられ、該蓋が閉じられた状態では、上記係止片に係止される止め部とを有し、
上記バネ部は、第１の樹脂成型バネおよび第２の樹脂成型バネにより構成される
ことを特徴とする電子機器。
【発明の詳細な説明】
【技術分野】
【０００１】
この発明は、電子機器の開閉機構および電子機器に関する。詳しくは、この発明は、蓋が閉じられた状態では当該蓋の止め部に係止され、オープン釦に連接されている係止片に付勢力を与えるバネ部を、第１、第２の樹脂成型バネにより構成することにより、巻きバネを用いることなく、繰り返しの耐久性および各環境下での動作安定性を増すようにした電子機器の開閉機構などに係るものである。
【背景技術】
【０００２】
図６は、ポータブルＣＤ(CompactDisc)プレーヤの開閉機構の一例を示している。この図６は、本体２１０の内部のうち開閉機構に関係する部分を示している。この開閉機構は、係止片に与える付勢力を巻きバネにより得るようにしたものである。なお、巻きバネを利用した開閉機構は、例えば特許文献１等に記載されている。
【０００３】
図６において、本体２１０には、オープン釦２１４に連接されている係止片２４１が取り付けられている。オープン釦２１４および係止片２４１は、樹脂成型により、一体的に形成されている。
【０００４】
係止片２４１は、全体としてＬ字状に形成されている。オープン釦２１４は、係止片２４１を構成する一方の辺部２４１ａの端部に存在する。この辺部２４１ａは、後述するように、蓋（図示せず）の止め部（ロック爪）２２１を係止する部分である。係止片２４１の他方の辺部２４１ｂには、移動範囲を規制し、かつ移動案内をするための２つの長穴２４２，２４２が直列的に設けられている。
【０００５】
係止片２４１は、本体２１０の内部に立設されたボス２４３，２４３がそれぞれ長穴２４２，２４２に挿入された状態で、本体２１０に取り付けられている。そのため、係止片２４１は、当該係止片２４１の辺部２４１ｂの長手方向に、直線的に移動可能とされている。このように係止片２４１が直線的に移動可能とされることで、この係止片２４１に連接されているオープン釦２１４も同様に直線的に移動可能とされている。
【０００６】
本体２１０には、係止片２４１をＰ側とは反対のＱ側の方向に常に付勢する巻きバネ２４４が、取り付けられている。巻きバネ２４４は、バネ部２４４ａが本体２１０の内部に立設されたボス２４５に挿入され、一端部２４４ｂが本体２１０の内部に立設されたボス２４６に当接され、他端部が係止片２４１の辺部２４１ｂに当接された状態に置かれることで、係止片２４１をＱ側の方向に付勢する。
【０００７】
また、本体２１０には、係止片２４１の取り付け位置に対応して、蓋の止め部２２１を挿入するための挿入穴２４７が設けられている。蓋が閉じられた状態では、図６に示すように、当該蓋の止め部２２１は、挿入穴２４７を通って本体２１０の内部に突出した状態となり、この止め部２２１は係止片２４１の辺部２４１ａにより係止された状態となる。この係止状態は、係止片２４１が巻きバネ２４４によりＱ側の方向に常に付勢されていることで、安定して保持される。
【０００８】
また、図６に示すように、蓋の止め部２２１が係止片２４１の辺部２４１ａにより係止された状態で、オープン釦２１４が巻きバネ２４４の付勢力に抗してＰ側に操作されるとき、当該辺部２４１ａの当該止め部２２１に対する係止状態が解除され、当該止め部２２１を挿入穴２４７から抜き取ることが可能となり、蓋を開くことが可能となる。
【０００９】
図６に示す蓋の開閉機構は、係止片２４１を付勢するための巻きバネ２４４を必要とし、その分だけ部品点数が多くなるという問題があった。
【００１０】
図７は、従来の開閉機構の他の例を示している。この図７は、本体２１０の内部のうち、開閉機構に関係する部分を示している。この開閉機構は、係止片に与える付勢力を、樹脂成形バネ（モールドバネ）で得るようにしたものである。なお、樹脂成形バネを利用した開閉機構は、例えば特許文献２等に記載されている。
【００１１】
図７において、図６と対応する部分には同一符号を付し、その詳細説明は省略する。図７に示す開閉機構では、図６に示す開閉機構における巻きバネ２４４の代わりに、樹脂成形バネ２５１が使用される。つまり、本体２１０には、係止片２４１をＰ側とは反対のＱ側の方向に常に付勢する樹脂成形バネ２５１が設けられている。
【００１２】
この樹脂成形バネ２５１は、Ｕ字状に形成されており、一端部２５１ａが係止片２４１の辺部２４１ｂの端部に接続され、他端部２５１ｂが本体２１０の内部に立設されたボス２５２に係止されており、開く方向に付勢力を発生する。この樹脂成形バネ２５１は、オープン釦２１４および係止片２４１とともに一体的に樹脂成型されている。
【特許文献１】特開平１１−１８６７４６号公報
【特許文献２】特開平０８−２３５８４５号公報
【発明の開示】
【発明が解決しようとする課題】
【００１３】
図７に示す開閉機構においては、樹脂成形バネ２５１をオープン釦２１４および係止片２４１と一体的に成型して得ることができるので、部品点数を減らすことができる。しかし、樹脂成形バネ２５１を使用する場合、繰り返しの耐久性および各環境下での動作安定性に問題があることから、結局巻きバネを追加しなくてはならないことが多かった。
【００１４】
この発明の目的は、巻きバネを用いることなく、繰り返しの耐久性および各環境下での動作安定性を増すことにある。
【課題を解決するための手段】
【００１５】
この発明の概念は、
電子機器の本体に装着されている蓋を開閉するための開閉機構であって、
直線方向に移動可能に上記本体に取り付けられているオープン釦と、
上記オープン釦に連接され、上記直線方向に移動可能に上記本体に取り付けられている係止片と、
上記係止片を上記直線方向の一の方向に常に付勢するバネ部と、
上記蓋に設けられ、該蓋が閉じられた状態では、上記係止片に係止される止め部とを備え、
上記バネ部は、第１の樹脂成型バネおよび第２の樹脂成型バネにより構成される
ことを特徴とする電子機器の開閉機構にある。
【００１６】
この発明においては、係止片は、第１、第２の樹脂成型バネにより構成されるバネ部によって、直線方向の一の方向に常に付勢される。蓋が閉じられた状態では、当該蓋の止め部は、係止片により係止された状態となる。この係止状態は、係止片が上述したようにバネ部により直線方向の一の方向に常に付勢されることで、安定して保持される。蓋の止め部が係止片により係止された状態で、オープン釦がバネ部の付勢力に抗して他の方向に操作されるとき、係止片の止め部に対する係止状態が解除され、蓋を開くことが可能となる。
【００１７】
バネ部は２つの樹脂成型バネにより構成される。この場合、１つの樹脂成型バネにより構成される場合に比べて、当該樹脂成型バネの荷重設定を低くすることが可能となり、安定した荷重で動作させることができ、繰り返しの耐久性および各環境下での動作安定性を増すことができる。また、この場合、バネ部を樹脂成型バネにより構成することで、他の樹脂成型部品と一体的に形成でき、部品点数を減らすことが可能となる。
【００１８】
この発明において、例えば、第１の樹脂成型バネは、オープン釦および係止片と一体的に成型され、第２の樹脂成型バネの線膨張係数は、第１の樹脂成型バネの線膨張係数より小さくされる。この場合、オープン釦の材料としては繰り返し荷重に強い合成樹脂が使用されるが、当該合成樹脂の線膨張係数が大きい場合には、例えば低温環境下では当該第１の樹脂成型バネの材料収縮が大きくなり、係止片を付勢する力が大きく低下することが予想される。
【００１９】
しかし、第２の樹脂成型バネの線膨張係数が第１の樹脂成型バネの線膨張係数より小さくされることで、例えば低温環境下で当該第２の樹脂成型バネの材料収縮は上述の第１の樹脂成型バネの材料収縮に比べて小さく、係止片を付勢する力の低下は少ない。したがって、低温環境下でも、バネ部全体として、係止片を付勢する力の低下を抑制でき、動作安定性を増すことができる。
【００２０】
この発明において、例えば、第１、第２の樹脂成型バネはＵ字形状に形成され、第１の樹脂成型バネは開こうとする力により係止片を付勢し、第２の樹脂成型バネは閉じようとする力により係止片を付勢するようにされる。この場合、係止片には、Ｕ字形状の２つの樹脂成型バネの開く力および閉じる力が合成された、安定した付勢力が与えられる。
【発明の効果】
【００２１】
この発明によれば、蓋が閉じられた状態では当該蓋の止め部に係止され、オープン釦に連接されている係止片に付勢力を与えるバネ部を、第１、第２の樹脂成型バネにより構成するものであり、巻きバネを用いることなく、繰り返しの耐久性および各環境下での動作安定性を増すことができる。
【発明を実施するための最良の形態】
【００２２】
この発明の実施の形態について説明する。図１および図２は、実施の形態としてのポータブルＣＤプレーヤ１００の外観を模式的に示している。ＣＤプレーヤ１００は、本体１１０と、この本体１１０に開閉可能に装着される蓋１２０と、を有している。図１は、蓋１２０が開いた状態を示しており、図２は蓋１２０が閉じた状態を示している。
【００２３】
本体１１０は、上面にチャッキング部１１１および光ピックアップ１１２等を有している。チャッキング部１１１は、ＣＤを着脱自在に保持できるようになっている。また、本体１１０の周面には、再生釦、ポーズ釦、停止釦、早送り釦、巻き戻し釦、音量のアップ／ダウン釦などのＣＤの再生に関係する各種操作釦１１３が配されている。また、本体１１０の周面には、ＣＤの再生情報等を表示する表示部１１４および蓋１２０を開くためのオープン釦（オープンノブ）１１５等が配されている。表示部１１４は、例えば液晶表示パネルにより構成される。
【００２４】
蓋１２０には、本体１１０に取り付けられている係止片（図１、図２には示していない）に係止される止め部（ロック爪）１２１が設けられている。図２に示すように、蓋１２０が閉じられるとき、当該蓋１２０の止め部１２１は本体１１０の係止片に係止された状態となり、閉蓋状態が保持される。また、蓋１２０が閉じている状態で、オープン釦１１５が矢印Ｐ方向に操作されるとき、止め部１２１の上述した係止片による係止状態が解除され、蓋１２０は、図１に示すように、開いた状態となる。
【００２５】
ここで、蓋１２０に設けられている止め部１２１、本体１１０に取り付けられているオープン釦１１５および係止片等はＣＤプレーヤ１００の開閉機構を構成している。図３および図４は、開閉機構を示している。図３、図４は、本体１１０の内部のうち開閉機構に関係する部分を示している。
【００２６】
本体１１０には、オープン釦１１５に連接されている係止片１４１が取り付けられている。オープン釦１１５および係止片１４１は、樹脂成型により、一体的に形成されている。オープン釦１１５を構成する樹脂材料としては、繰り返し荷重に強い材料が望ましく、この実施の形態ではＰＯＭ(polyoxymethylene：ポリオキシメチレン(ポリアセタール))樹脂が用いられる。
【００２７】
係止片１４１は、全体としてＬ字状に形成されている。オープン釦１１５は、係止片１４１を構成する一方の辺部１４１ａの端部に存在する。この辺部１４１ａは、後述するように、蓋１２０の止め部１２１を係止する部分である。係止片１４１の他方の辺部２４１ｂには、移動範囲を規制し、かつ移動案内を行うための２つの長穴１４２，１４２が直列に設けられている。
【００２８】
係止片１４１は、本体１１０の内部に立設されたボス１４３，１４３がそれぞれ長穴１１４２，１４２に挿入された状態で、本体１１０に取り付けられている。そのため、係止片１４１は、当該係止片１４１の辺部１４１ｂの長手方向に、直線的に移動可能とされている。このように係止片１４１が直線的に移動可能とされることで、この係止片１４１に連接されているオープン釦１１５も同様に直線的に移動可能とされている。
【００２９】
本体１１０には、係止片１４１をＰ側とは反対のＱ側の方向に常に付勢するバネ部１４５が設けられている。このバネ部１４５は、樹脂成型バネ１５１および樹脂成型バネ１５２により構成されている。樹脂成形バネ１５１は、Ｕ字状に形成されており、一端部１５１ａが係止片２４１の辺部１４１ｂの端部に接続され、他端部１５１ｂが本体２１０の内部に立設されたボス１５３に係止されており、開こうとする力（図４に矢印Ｆ１で示す）により、係止片１４１をＱ側に付勢する。この樹脂成形バネ１５１は、第１の樹脂成型バネを構成しており、オープン釦１１５および係止片１４１とともに一体的に樹脂成型されている。この場合、この樹脂成型バネ１５１の樹脂材料は、オープン釦１１５および係止片１４１と同様に、ＰＯＭ樹脂となる。
【００３０】
また、樹脂成型バネ１５２は、Ｕ字状に形成されており、一端部１５２ａが操作釦１１３に連接した部材１５４に接続され、他端部１５２ｂが係止片１４１に接続されており、閉じようとする力（図４に矢印Ｆ２で示す）により、係止片１４１をＱ側に付勢する。樹脂成型バネ１５２の他端部１５２ｂの先端には丸穴１５５が形成されており、この丸穴１５５に係止片１４１に立設されているボス１５６が挿入されることで、当該樹脂成型バネ１５２の他端部１５２ｂの係止片１４１への接続が行われる。
【００３１】
この樹脂成形バネ１５２は、第２の樹脂成型バネを構成しており、操作釦１１３および部材１５４とともに一体的に樹脂成型されている。この場合、操作釦１１３、部材１５４および樹脂成型バネ１５２を構成する樹脂材料としては、線膨張係数が小さく、かつ繰り返しの荷重も比較的強い材料が望ましく、この実施の形態ではＡＢＳ樹脂が用いられる。
【００３２】
図５は、ＰＯＭ樹脂およびＡＢＳ樹脂の温度と長さ変化量との関係を示している。ＰＯＭ樹脂の線膨張係数は１２〜１３×１０＾−５／℃であり、ＡＢＳ樹脂の線膨張係数は６〜９×１０＾−５／℃である。
【００３３】
本体１１０には、係止片１４１の取り付け位置に対応して、蓋１２０の止め部１２１を挿入するための挿入穴１４７が設けられている。蓋１２０が閉じられた状態では、図３、図４に示すように、当該蓋１２０の止め部１２１は、挿入穴１４７を通って本体１１０の内部に突出した状態となり、この止め部１２１は係止片１４１の辺部１４１ａにより係止された状態となる。この係止状態は、係止片１４１が樹脂成型バネ１５１，１５２によりＱ側の方向に常に付勢されていることで、安定して保持される。
【００３４】
また、図３、図４に示すように、蓋１２０の止め部１２１が係止片１４１の辺部１４１ａにより係止された状態で、オープン釦１１５が樹脂成型バネ１５１，１５２の付勢力に抗してＰ側に操作されるとき、当該辺部１４１ａの当該止め部１２１に対する係止状態が解除され、当該止め部１２１を挿入穴１４７から抜き取ることが可能となり、蓋１２０を開くことが可能となる（図１参照）。
【００３５】
上述の実施の形態においては、蓋１２０の止め部１２１を係止するための係止片１４１を付勢するバネ部１４５が樹脂成型バネ１５１，１５２で構成され、他の部材と一体的に形成でき、部品点数を減らすことができる。
【００３６】
また、上述実施の形態においては、蓋１２０の止め部１２１を係止するための係止片１４１を付勢するバネ部１４５が、２つの樹脂成型バネ１５１，１５２により構成されているため、例えばバネ部１４５が１つの樹脂成型バネで構成される場合に比べて、各樹脂成型バネ１５１，１５２の荷重設定を低くすることが可能となり、安定した荷重で動作させることができ、繰り返しの耐久性および各環境下での動作安定性を増すことができる。
【００３７】
また、上述実施の形態においては、樹脂成型バネ１５１はオープン釦１１５および係止片１４１と一体的にＰＯＭ樹脂により成型され、一方、樹脂成型バネ１５２は操作釦１１３および部材１５４と一体的にＡＢＳ樹脂により成型されている。この場合、ＰＯＭ樹脂は繰り返し荷重には強いが線膨張係数が大きいことから、例えば低温環境下では、樹脂成型バネ１５１の材料収縮が大きくなり、係止片１４１を付勢する力が大きく低下することが予想される。しかし、ＡＢＳ樹脂の線膨張係数はＰＯＭ受信の線膨張係数より小さく、例えば低温環境下における樹脂成型バネ１５２の材料収縮は上述の樹脂成型バネ１５１の材料収縮に比べて小さく、係止片１４１を付勢する力の低下は少ない。したがって、低温環境下でも、バネ部１４５全体として、係止片１４１を付勢する力の低下を抑制でき、動作安定性を増すことができる。
【００３８】
また、上述実施の形態においては、樹脂成型バネ１５１，１５２はＵ字形状に形成され、樹脂成型バネ１５１は開こうとする力により係止片１４１を付勢し、樹脂成型バネ１５２は閉じようとする力により係止片１４１を付勢するものであり、係止片１４１には、Ｕ字形状の２つの樹脂成型バネ１５１，１５２の開く力および閉じる力が合成された、安定した付勢力が与えられる。
【００３９】
なお、上述実施の形態においては、樹脂成型バネ１５２は操作釦１１３および部材１５４と一体的に成型されたものを示したが、他の部材、例えば本体１１０のキャビネットと一体的に成型されてもよい。
【００４０】
また、上述実施の形態においては、この発明を、ポータブルＣＤプレーヤ１００に適用したものを示したが、この発明は、同様の蓋を持つ電子機器に適用できることは勿論である。
【産業上の利用可能性】
【００４１】
この発明は、巻きバネを用いることなく、繰り返しの耐久性および各環境下での動作安定性を増すことができるものであり、ポータブルＣＤプレーヤ等の電子機器に適用できる。
【図面の簡単な説明】
【００４２】
【図１】実施の形態としてのポータブルＣＤプレーヤの外観（開蓋状態）を模式的に示した図である。
【図２】実施の形態としてのポータブルＣＤプレーヤの外観（閉蓋状態）を模式的に示した図である。
【図３】ポータブルＣＤプレーヤの本体内部のうち開閉機構に関係する部分を示す図である。
【図４】ポータブルＣＤプレーヤの本体内部のうち開閉機構に関係する部分を示す図である。
【図５】ＰＯＭ樹脂およびＡＢＳ樹脂の温度と長さ変化量との関係を示す図であって、ＰＯＭ樹脂およびＡＢＳ樹脂の線膨張係数を説明するための図である。
【図６】従来の巻きバネを使用したポータブルＣＤプレーヤの開閉機構の一例を示す図である。
【図７】従来の樹脂成型バネを使用したポータブルＣＤプレーヤの開閉機構の一例を示す図である。
【符号の説明】
【００４３】
１００・・・ポータブルＣＤプレーヤ、１１０・・・本体、１１１・・・チャッキング部、１１２・・・光学ピックアップ、１１３・・・操作部、１１４・・・表示部、１１５・・・オープン釦、１２０・・・蓋、１２１・・・止め部、１４１・・・係止片、１４５・・・バネ部、１４７・・・挿入穴、１５１，１５２・・・樹脂成型バネ
【図１】
2008146746.tif 000003
【図２】
2008146746.tif 000004
【図３】
2008146746.tif 000005
【図４】
2008146746.tif 000006
【図５】
2008146746.tif 000007
【図６】
2008146746.tif 000008
【図７】
2008146746.tif 000009